(57)【要約】【課題】セルの内容についても文字列でもって示すことを可能にし、且つ、オリジナルＰＧＣにおけるプログラム（またはユーザ定義ＰＧＣにおけるプログラムチェーン）の内容、あるいはセルの内容を示すための文字列の文字数の制限を取り除く。【解決手段】ＶＲフォーマットを用いた映像信号の記録と再生とを行う構成において、入力された文字列を示す情報である文字列情報と、文字列が対応付けられる対象を示す情報である対応付情報とからなる拡張情報を生成して（Ｓ４）光ディスクに記録する（Ｓ６）拡張情報記録手段を備え、文字列情報により示される文字列の文字数の上限を無制限とするとともに、対応付情報によって文字列に対応付けることが可能となる対象は、プログラムとプログラムチェーンとセルとを含んだ範囲となっている。【選択図】  図１
2005332528.tif 000002
【特許請求の範囲】
【請求項１】
ＶＲフォーマットを用いて光ディスクに映像信号を記録するとともに、ＶＲフォーマットを用いて映像信号が記録された光ディスクの再生を行う記録再生装置において、
入力された文字列を示す情報である文字列情報と、文字列が対応付けられる対象を示す情報である対応付情報とからなる拡張情報を生成して光ディスクに記録する拡張情報記録手段と、
光ディスクより読み出された拡張情報を表示する拡張情報表示手段とを備え、
文字列情報により示される文字列の文字数の上限を無制限とするとともに、対応付情報によって対応付けが可能となる対象には、光ディスク本体およびオリジナルプログラムチェーンにおけるプログラムとセルおよびユーザ定義プログラムチェーンにおけるプログラムチェーンとセルとが含まれ、
対応付情報は、第３の情報と、オリジナルプログラムチェーンにおけるプログラムの番号またはユーザ定義プログラムチェーンにおけるプログラムチェーンの番号を示す第１の情報と、セルの番号を示す第２の情報とから形成され、
第３の情報が光ディスク本体を示すときには文字列は光ディスク本体に対応付けられ、第３の情報がオリジナルプログラムチェーンまたはユーザ定義プログラムチェーンを示すとともに第２の情報が０とは異なる値となるときには文字列は該当するプログラム内の該当するセルまたは該当するプログラムチェーン内の該当するセルに対応付けられ、第３の情報がオリジナルプログラムチェーンまたはユーザ定義プログラムチェーンを示すとともに第２の情報が値０となるときには文字列は該当するプログラムまたは該当するプログラムチェーンに対応付けられ、
情報記録手段が拡張情報を記録するエリアはデータエリア内の予め設定されたエリアとなっており、且つ、データエリアの使用状態を示す情報であるボリウム／ファイル構造情報においては、拡張情報が記録されたエリアは空きエリアとして示され、
拡張情報表示手段によって表示された拡張情報における文字列に対応付けられた対象がカーソルにより指定された状態において再生が指示されたときには、カーソルにより指定された対象の再生が行われることを特徴とする記録再生装置。
【請求項２】
ＶＲフォーマットを用いて光ディスクに映像信号を記録するとともに、ＶＲフォーマットを用いて映像信号が記録された光ディスクの再生を行う記録再生装置において、
入力された文字列を示す情報である文字列情報と、文字列が対応付けられる対象を示す情報である対応付情報とからなる拡張情報を生成して光ディスクに記録する拡張情報記録手段を備え、
文字列情報により示される文字列の文字数の上限を無制限とするとともに、対応付情報によって対応付けが可能となる対象には、オリジナルプログラムチェーンにおけるプログラムとセルおよびユーザ定義プログラムチェーンにおけるプログラムチェーンとセルとが含まれることを特徴とする記録再生装置。
【請求項３】
対応付情報は、オリジナルプログラムチェーンにおけるプログラムの番号またはユーザ定義プログラムチェーンにおけるプログラムチェーンの番号を示す第１の情報と、セルの番号を示す第２の情報とから形成され、
第２の情報が０とは異なる値となるときには文字列は該当するプログラム内の該当するセルまたは該当するプログラムチェーン内の該当するセルに対応付けられ、第２の情報が値０となるときには文字列は該当するプログラムまたは該当するプログラムチェーンに対応付けられることを特徴とする請求項２記載の記録再生装置。
【請求項４】
情報記録手段が拡張情報を記録するエリアはデータエリア内の予め設定されたエリアとなっており、且つ、データエリアの使用状態を示す情報であるボリウム／ファイル構造情報においては、拡張情報が記録されたエリアは空きエリアとして示されることを特徴とする請求項２または請求項３記載の記録再生装置。
【請求項５】
情報記録手段が拡張情報を記録するエリアは、データエリアの使用状態を示す情報であるボリウム／ファイル構造情報において空きであることが示されるデータエリア内のエリアのうちの最も内周側のエリアとなっており、且つ、ボリウム／ファイル構造情報においては拡張情報が記録されたエリアは空きエリアとして示されることを特徴とする請求項２または請求項３記載の記録再生装置。
【請求項６】
拡張情報表示手段によって表示された拡張情報における文字列に対応付けられた対象がカーソルにより指定された状態において再生が指示されたときには、カーソルにより指定された対象の再生が行われることを特徴とする請求項２から請求項５までのいずれかに記載の記録再生装置。
【発明の詳細な説明】
【技術分野】
【０００１】
本発明は、ＶＲフォーマットを用いて光ディスクに映像信号を記録するとともに、ＶＲフォーマットを用いて映像信号が記録された光ディスクの再生を行う記録再生装置に関するものである。
【背景技術】
【０００２】
現在広く提供されているＤＶＤプレイヤにおいては、映像信号の圧縮にはＭＰＥＧ２に準拠した圧縮方式が用いられている。このＭＰＥＧ２に準拠した映像圧縮方式は、ユーザがアナログ映像信号をデジタル記録できるＤＶＤレコーダの規格であるＶＲフォーマットにおいても採用されている。このように、ユーザによる映像信号のデジタル記録を可能にするＶＲフォーマットにおいては、記録された映像信号は、オリジナルプログラムチェーンという形式と、ユーザ定義プログラムチェーン（プレイリスト）という形式との２種の形式でもって管理されるようになっている。すなわち、記録された映像信号は、オリジナルプログラムチェーンにおいては、記録時に連続していた映像信号のそれぞれがプログラムとして管理されるようになっている。これに対し、ユーザ定義プログラムチェーンにおいては、記録時に連続していた映像信号を任意に分割したブロックであるセルを単位として、ユーザにより任意に順序付けられたセルの集まりが、プログラムチェーンとして管理されるようになっている。また、オリジナルプログラムチェーンにおけるプログラム、あるいは、ユーザ定義プログラムチェーンにおけるプログラムチェーン、または、ＤＶＤ本体のいずれかに対応付ける形で、６４バイトの範囲内のデータにより示される文字列（Ｔｅｘｔ  Ｉｎｆｏｒｍａｔｉｏｎ）を記録することができるようになっている（第１の従来技術とする）。
【０００３】
一方、ＶＲフォーマットを拡張する技術としては、以下に示す従来技術が提案されている（第２の従来技術とする）。すなわち、この技術においては、『ある特定メーカーのドライバー（情報記録再生装置）のみにおいて上記規格で規定した機能を超えた独自の機能を発揮し、その独自機能に関係した情報を上記情報記録媒体（Ｏｐｔｉｃａｌ  Ｄｉｓｋ  １００１）に記録する場合には特定メーカーのみの使用可能な特定情報２００２の記録領域に記録できる構造になっている。この特定メーカーのみの使用可能な特定情報２００２は規格に準拠した共通情報２００１の記録領域とは情報記録媒体（Ｏｐｔｉｃａｌ  Ｄｉｓｋ  １００１）上の異なる領域に記録される。上記特定メーカーのドライバー（情報記録再生装置）のみ再生可能な情報の内、映像情報、静止画情報、音声情報など情報のコンテンツそのものに関する情報は特定メーカーのみ使用可能な特定オブジェクト情報２００８で定義する。この特定メーカーのみ使用可能な特定オブジェクト情報（特定コンテンツ情報）２００８を管理・制御するために必要な情報は特定メーカーのみ使用可能な管理・制御情報２００６で定義する』ことが開示されている（例えば、特許文献１参照）。
【０００４】
また、以下に示す技術が提案されている（第３の従来技術とする）。すなわち、この技術においては、『同一の情報媒体上に映像情報、静止画情報および／または音声情報を混在して記録可能にするとともに、各映像情報、静止画情報、音声情報のうちの任意の領域にたいして任意の順番で再生を可能にするデータ構造（フォーマット構造）を提供する』ために、『既存のＲＴＲ規格内の映像情報（図１の（ｎ）のムービーＶＯＢ３１）と同様に、各オーディオＶＯＢ（ＡＯＢ）＃Ａ〜＃Ｃに対して開始位置から終了位置まで再生範囲を指定したセル＃２、＃３、＃６を定義している。そして、音声情報（オーディオＶＯＢ＃Ａ〜＃Ｃ）を、映像情報（ムービーＶＯＢ３１）の開始位置から終了位置まで再生範囲を指定したセル＃１あるいは静止画情報（スチル画ＶＯＢ２１）の開始位置から終了位置まで再生範囲を指定したセル＃４と全く同列に扱えるようにしている』ことが開示されている（例えば、特許文献２参照）。
【特許文献１】特開２００２−１４０８６５号公報（第０１９３段落、第１２図）
【特許文献２】特開２００２−１５７８６１号公報（第０００４、００２２段落）
【発明の開示】
【発明が解決しようとする課題】
【０００５】
しかしながら、第１の従来技術を用いる場合には、以下に示す問題を生じていた。すなわち、映像情報を記録した後になって、記録内容の把握を容易にするため、オリジナルプログラムチェーンにおけるプログラム、あるいは、ユーザ定義プログラムチェーンにおけるプログラムチェーンに説明文を付加しようとする場合、文字列を６４バイト以内のデータにより示される文字列とする必要がある。従って、上記したプログラムあるいはプログラムチェーンに付加する文字列を漢字交じりの文字列とするときでは、文字数は３２文字に制限されるので、プログラムあるいはプログラムチェーンの内容の把握を容易にする文字列の作成が困難になることが多い。また、セルについては説明文を付加することができないので、記録内容の細かい説明ができないという問題も併せて生じていた。
【０００６】
第２の従来技術においては、『ある特定メーカーのドライバー（情報記録再生装置）のみにおいて上記規格で規定した機能を超えた独自の機能を発揮』させる場合の情報の記録の構造が開示されているに過ぎないので、第１の従来技術における問題、すなわち、プログラムあるいはプログラムチェーンの内容の把握を容易にする文字列の作成が困難になることや、セルについては説明文を付加することができない、という問題を解決しようとする観点からは、適用することが困難な技術となっている。
【０００７】
また、第３の従来技術は、『同一の情報媒体上に映像情報、静止画情報および／または音声情報を混在して記録可能にするとともに、各映像情報、静止画情報、音声情報のうちの任意の領域にたいして任意の順番で再生を可能にするデータ構造（フォーマット構造）』が開示されているに過ぎない。このため、第１の従来技術における問題、すなわち、プログラムあるいはプログラムチェーンの内容の把握を容易にする文字列の作成が困難になることや、セルについては説明文を付加することができない、という問題を解決しようとする観点からは、適用することが困難な技術となっている。
【０００８】
本発明は、上記の問題点を解決するため創案されたものであり、その目的は、セルの内容を示す文字列を記録することができるとともに、光ディスクそのものの記録内容やプログラムやプログラムチェーンの記録内容やセルの記録内容を示すための文字列の文字数の制限を取り除くことのでき、且つ、拡張情報の複雑化を抑制することのでき、且つ、拡張情報が記録された光ディスクを、拡張情報を用いない装置においても使用可能とすることのでき、且つ、目的とする位置から容易に再生を開始させることのできる記録再生装置を提供することにある。
【０００９】
また本発明の目的は、ユーザにより入力された文字列を示す情報である文字列情報と、文字列が対応付けられる対象を示す情報である対応付情報とからなる拡張情報を生成して光ディスクに記録するとともに、文字列の文字数の上限を無制限とし、対応付情報によって文字列を対応付けることが可能となる対象には、オリジナルプログラムチェーンにおけるプログラムとセルおよびユーザ定義プログラムチェーンにおけるプログラムチェーンとセルとを含ませることにより、セルの内容を示す文字列を記録することができるとともに、プログラムやプログラムチェーンの記録内容やセルの記録内容を示すための文字列の文字数の制限を取り除くことのできる記録再生装置を提供することにある。
【００１０】
また、上記目的に加え、文字列を対象に対応付けるための情報を、オリジナルプログラムチェーンにおけるプログラムの番号またはユーザ定義プログラムチェーンにおけるプログラムチェーンの番号を示す第１の情報と、セルの番号を示す第２の情報とを含む構成とするとともに、第２の情報が値０となるときには文字列は該当するプログラムまたは該当するプログラムチェーンに対応付けられるようにすることで、対応付けられる対象がプログラムとプログラムチェーンとのうちの一方であるのか、またはセルであるのかを区別するための情報を不要とすることにより、拡張情報の複雑化を抑制することのできる記録再生装置を提供することにある。
【００１１】
また、上記目的に加え、データエリアの使用状態を示す情報であるボリウム／ファイル構造情報においては、拡張情報が記録されたエリアを空きエリアとして示すことにより、拡張情報が記録された光ディスクを、拡張情報を用いない装置においても使用可能とすることのできる記録再生装置を提供することにある。
【００１２】
また、上記目的に加え、目的とする位置からの再生を容易にすることのできる記録再生装置を提供することにある。
【課題を解決するための手段】
【００１３】
上記の課題を解決するため、本発明に係る記録再生装置は、ＶＲフォーマットを用いて光ディスクに映像信号を記録するとともに、ＶＲフォーマットを用いて映像信号が記録された光ディスクの再生を行う記録再生装置に適用しており、入力された文字列を示す情報である文字列情報と、文字列が対応付けられる対象を示す情報である対応付情報とからなる拡張情報を生成して光ディスクに記録する拡張情報記録手段と、光ディスクより読み出された拡張情報を表示する拡張情報表示手段とを備え、文字列情報により示される文字列の文字数の上限を無制限とするとともに、対応付情報によって対応付けが可能となる対象には、光ディスク本体およびオリジナルプログラムチェーンにおけるプログラムとセルおよびユーザ定義プログラムチェーンにおけるプログラムチェーンとセルとが含まれ、対応付情報は、第３の情報と、オリジナルプログラムチェーンにおけるプログラムの番号またはユーザ定義プログラムチェーンにおけるプログラムチェーンの番号を示す第１の情報と、セルの番号を示す第２の情報とから形成され、第３の情報が光ディスク本体を示すときには文字列は光ディスク本体に対応付けられ、第３の情報がオリジナルプログラムチェーンまたはユーザ定義プログラムチェーンを示すとともに第２の情報が０とは異なる値となるときには文字列は該当するプログラム内の該当するセルまたは該当するプログラムチェーン内の該当するセルに対応付けられ、第３の情報がオリジナルプログラムチェーンまたはユーザ定義プログラムチェーンを示すとともに第２の情報が値０となるときには文字列は該当するプログラムまたは該当するプログラムチェーンに対応付けられ、情報記録手段が拡張情報を記録するエリアはデータエリア内の予め設定されたエリアとなっており、且つ、データエリアの使用状態を示す情報であるボリウム／ファイル構造情報においては、拡張情報が記録されたエリアは空きエリアとして示され、拡張情報表示手段によって表示された拡張情報における文字列に対応付けられた対象がカーソルにより指定された状態において再生が指示されたときには、カーソルにより指定された対象の再生が行われるようになっている。
【００１４】
すなわち、光ディスク本体、あるいは、オリジナルプログラムチェーンにおけるプログラムやセル、または、ユーザ定義プログラムチェーンにおけるプログラムチェーンやセルについては、制限の無い文字数からなる文字列を用いて、その内容を説明することができる。且つ、第２の情報の値を０とするのみで、文字列を、オリジナルプログラムチェーンにおけるプログラム、または、ユーザ定義プログラムチェーンにおけるプログラムチェーンに対応付けることができる。且つ、拡張情報を用いる装置の側においては、拡張情報の記録位置を知ることができ、拡張情報を用いない装置の側においては、拡張情報が記録されているときにも、拡張情報は記録されていないことになる。且つ、文字列が対応付けて表示されたプログラムやプログラムチェーンあるいはセルをカーソルで指示するのみで、目的とする位置から再生を開始させることができる。
【００１５】
また本発明に係る記録再生装置は、ＶＲフォーマットを用いて光ディスクに映像信号を記録するとともに、ＶＲフォーマットを用いて映像信号が記録された光ディスクの再生を行う記録再生装置に適用しており、入力された文字列を示す情報である文字列情報と、文字列が対応付けられる対象を示す情報である対応付情報とからなる拡張情報を生成して光ディスクに記録する拡張情報記録手段を備え、文字列情報により示される文字列の文字数の上限を無制限とするとともに、対応付情報によって対応付けが可能となる対象には、オリジナルプログラムチェーンにおけるプログラムとセルおよびユーザ定義プログラムチェーンにおけるプログラムチェーンとセルとが含まれている。すなわち、オリジナルプログラムチェーンにおけるプログラムとセルおよびユーザ定義プログラムチェーンにおけるプログラムチェーンとセルについては、制限の無い文字数からなる文字列を用いて、その内容を説明することができる。
【００１６】
また上記構成に加え、対応付情報は、オリジナルプログラムチェーンにおけるプログラムの番号またはユーザ定義プログラムチェーンにおけるプログラムチェーンの番号を示す第１の情報と、セルの番号を示す第２の情報とから形成され、第２の情報が０とは異なる値となるときには文字列は該当するプログラム内の該当するセルまたは該当するプログラムチェーン内の該当するセルに対応付けられ、第２の情報が値０となるときには文字列は該当するプログラムまたは該当するプログラムチェーンに対応付けられるようになっている。すなわち、第２の情報の値を０とするのみで、文字列を、オリジナルプログラムチェーンにおけるプログラム、または、ユーザ定義プログラムチェーンにおけるプログラムチェーンに対応付けることができる。
【００１７】
また上記構成に加え、情報記録手段が拡張情報を記録するエリアはデータエリア内の予め設定されたエリアとなっており、且つ、データエリアの使用状態を示す情報であるボリウム／ファイル構造情報においては、拡張情報が記録されたエリアは空きエリアとして示されるようになっている。すなわち、拡張情報を用いる装置の側においては、拡張情報の記録位置を知ることができる。一方、拡張情報を用いない装置の側においては、拡張情報が記録されているときにも、拡張情報は記録されていないことになる。
【００１８】
また上記構成に加え、情報記録手段が拡張情報を記録するエリアは、データエリアの使用状態を示す情報であるボリウム／ファイル構造情報において空きであることが示されるデータエリア内のエリアのうちの最も内周側のエリアとなっており、且つ、ボリウム／ファイル構造情報においては拡張情報が記録されたエリアは空きエリアとして示されるようになっている。すなわち、拡張情報を用いる装置の側にとっては、ボリウム／ファイル構造情報において記録されていない情報となるにもかかわらず、拡張情報の記録位置を知ることができる。一方、拡張情報を用いない装置の側においては、拡張情報が記録されているときにも、拡張情報は記録されていないことになる。
【００１９】
また上記構成に加え、拡張情報表示手段によって表示された拡張情報における文字列に対応付けられた対象がカーソルにより指定された状態において再生が指示されたときには、カーソルにより指定された対象の再生が行われるようになっている。すなわち、文字列が対応付けて表示されたプログラムやプログラムチェーンあるいはセルをカーソルで指示するのみで、目的とする位置から再生を開始させることができる。
【発明の効果】
【００２０】
本発明によれば、光ディスク本体、あるいは、プログラムやプログラムチェーン、あるいは、セルについては、制限の無い文字数からなる文字列を用いて、その内容を説明することができる。且つ、第２の情報の値を、セルを示さない値０とするのみで、文字列をプログラムあるいはプログラムチェーンの一方に対応付けることができる。且つ、拡張情報を用いる装置の側においては、拡張情報の記録位置を知ることができ、拡張情報を用いない装置の側においては、拡張情報が記録されているときにも、拡張情報は記録されていないことになる。且つ、文字列が対応付けて表示されたプログラムやプログラムチェーンあるいはセルをカーソルで指示するのみで、目的とする位置から再生を開始させることができる。このため、セルの記録内容についても文字列でもって示すことができるとともに、光ディスク本体の記録内容やプログラムやプログラムチェーンの記録内容およびセルの記録内容を示すための文字列の文字数の制限を取り除くことができ、且つ、拡張情報の複雑化を抑制することができ、且つ、拡張情報が記録された光ディスクを、拡張情報を用いない装置においても使用可能とすることができ、且つ、目的とする位置から容易に再生を開始させることができる。
【００２１】
また本発明によれば、プログラムやプログラムチェーンおよびセルについては、制限の無い文字数からなる文字列を用いて、その内容を説明することができるので、セルの記録内容についても文字列でもって示すことができ、且つ、プログラムやプログラムチェーンの記録内容およびセルの記録内容を示すための文字列の文字数の制限を取り除くことができる。
【００２２】
また、さらに、第２の情報の値を、セルを示さない値０とするのみで、文字列をプログラムあるいはプログラムチェーンの一方に対応付けることができる。このため、対応付けられる対象が、プログラムとプログラムチェーンとのうちの一方であるのか、あるいはセルであるのかを区別するための情報が不要となるため、拡張情報の複雑化を抑制することができる。
【００２３】
また、さらに、拡張情報を用いる装置の側においては、拡張情報の記録位置を知ることができる一方で、拡張情報を用いない装置の側においては、拡張情報が記録されているときにも、拡張情報は記録されていないことになる。このため、拡張情報を用いない装置においても使用可能とすることができる。
【００２４】
また、さらに、文字列が対応付けて表示されたプログラムやプログラムチェーン、あるいはセルをカーソルで指示するのみで、目的とする位置から再生を開始させることができるので、目的とする位置からの再生を容易にすることができる。
【発明を実施するための最良の形態】
【００２５】
以下、本発明の実施の形態について図を参照して説明する。
【００２６】
以下に、本発明の一実施形態において作成される拡張情報について説明する。
【００２７】
拡張情報は、ＶＲフォーマットにおいては規定されていない情報であって、任意の文字数を用いて作成することが可能な文字列を、ＤＶＤ本体（請求項記載の光ディスク本体）、あるいは、オリジナルプログラムチェーンにおけるプログラムやユーザ定義プログラムチェーンにおけるプログラムチェーン、あるいは、セルに対応付けて記録することが可能な情報となっている。
【００２８】
すなわち、拡張情報は、図４に示したように、文字列そのものを示す文字列情報と、文字列を対応付ける対象を示すための対応付情報とにより構成されている。詳細には、文字列情報は、文字列の文字数を示す情報と、文字列そのものを示す情報とから構成されている。また、対応付情報は、文字列が対応付けられる対象の種類が、ＤＶＤ本体、オリジナルプログラムチェーン（オリジナルタイトル）、ユーザ定義プログラムチェーン（プレイリスト）の３種のうちのどれであるのかを示す第３の情報と、オリジナルプログラムチェーンにおけるプログラムの番号またはユーザ定義プログラムチェーンにおけるプログラムチェーンの番号を示す第１の情報と、セルの番号を示す第２の情報とから形成されている。
【００２９】
より詳細には、第１の情報は、第３の情報がオリジナルプログラムチェーンを示すときにはプログラム（ＰＧ）の番号を示し、第３の情報がユーザ定義プログラムチェーンを示すときにはプログラムチェーン（ＰＧＣ）の番号を示す。第２の情報は、プログラムにおけるセルの番号、または、プログラムチェーンにおけるセルの番号を示す。なお、第３の情報がＤＶＤ本体を示すときには、第１の情報と第２の情報とは無視される。
【００３０】
すなわち、いま、ＤＶＤには、図６の１００により示す映像信号（ＶＯＢ１〜ＶＯＢ６の６つのビデオオブジェクトにより形成されている）が記録されており、オリジナルプログラムチェーンにおいては、映像信号１００は、セル１〜セル６に対応するように分かれているとする。そして、セル１〜セル６のうち、セル１、セル２の２つのセルがオリジナルプログラムチェーンにおけるプログラム１を構成し、セル３〜セル５の３つのセルがプログラム２を構成し、セル６がプログラム３を構成しているとする。
【００３１】
一方、ユーザ定義プログラムチェーンにおいては、映像信号１００は８つのセルＣＬ１〜ＣＬ８に対応するように分かれているとする。そして、セルＣＬ１，ＣＬ３，ＣＬ４，ＣＬ６の４つのセルがプログラムチェーン１を構成し、ＣＬ２，ＣＬ８の２つのセルがプログラムチェーン２を構成し、ＣＬ５，ＣＬ７の２つのセルがプログラムチェーン３を構成しているとする。
【００３２】
オリジナルプログラムチェーンおよびユーザ定義プログラムチェーンが上記した内容となるときに作成される拡張情報について、以下に具体的に説明する。
【００３３】
入力した文字列をＤＶＤ本体に対応付ける指示を入力した場合には、図５（Ａ）に示したように、第３の情報がＤＶＤ本体となる拡張情報が生成される（第１の情報と第２の情報とは不要であるために無視され、文字列の欄には入力された文字列『あいう・・・』が格納される）。
【００３４】
また、入力した文字列を、オリジナルプログラムチェーンにおけるプログラム２のセル３に対応付ける指示を入力した場合には、図５（Ｂ）に示したように、第３の情報がオリジナルプログラムチェーンとなり、第１の情報が２、第２の情報が３となる拡張情報が生成される（文字列の欄には入力された文字列『かきく・・・』が格納される）。
【００３５】
また、入力した文字列を、オリジナルプログラムチェーンにおけるプログラム２そのものに対応付ける指示を入力した場合には、図５（Ｃ）に示したように、第３の情報がオリジナルプログラムチェーンとなり、第１の情報が２、第２の情報が０となる拡張情報が生成される。すなわち、第２の情報の欄には、対応付けられる対象がセルであるときにはセルの番号を示す値が格納されるが、対応付けられる対象がプログラムそのものとなるときには、第２の情報の欄には値０が格納される。つまり、第２の情報の欄に値０を格納することでもって、対応付けられる対象がプログラムそのものであることを示すようになっている（文字列の欄には入力された文字列『さしす・・・』が格納される）。
【００３６】
また、入力した文字列を、ユーザ定義プログラムチェーンにおけるプログラムチェーン１のセル４に対応付ける指示を入力した場合、図５（Ｄ）に示したように、第３の情報がユーザ定義プログラムチェーンとなり、第１の情報が１、第２の情報が４となる拡張情報が生成される（文字列の欄には入力された文字列『たちつ・・・』が格納される）。
【００３７】
また、入力した文字列を、ユーザ定義プログラムチェーンにおけるプログラムチェーン３そのものに対応付ける指示を入力した場合、図５（Ｅ）に示したように、第３の情報がユーザ定義プログラムチェーンとなり、第１の情報が３、第２の情報が０となる拡張情報が生成される。すなわち、第２の情報の欄には、対応付けられる対象がプログラムチェーンそのものであることを示す値０が格納される。つまり、第２の情報の欄に値０を格納することでもって、対応付けられる対象がプログラムチェーンそのものであることを示すようになっている（文字列の欄には入力された文字列『なにぬ・・・』が格納される）。
【００３８】
以下に補足的な説明を行う。
【００３９】
図８は、ＶＲフォーマットにおけるＤＶＤの情報の記録エリアを示しており、ＤＶＤ１１の最も内周側にはリードインエリアが設けられている。また、リードインエリアに接する外周側には、ボリウム／ファイル構造情報を記録するためのエリアが設けられている。そして、このエリアの外周側には、映像信号等の、情報の本体が記録されるデータエリアが設けられ、最も外周側にはリードアウトエリアが設けられている。なお、ボリウム／ファイル構造情報は、データエリアに、どのような階層構造でもって、どのようなデータがどこに記録されているかを示す情報となっている。従って、ボリウム／ファイル構造情報を参照するときには、データエリアにおいて、どのエリアが使用されており、どのエリアが空きになっているのかを知ることができる。
【００４０】
拡張情報の説明に戻ると、図７は、拡張情報が記録されるときのデータ構造を示している。すなわち、生成された複数の拡張情報は、１つのファイル形式のデータとしてまとめられる。そして、その他のデータから識別するための情報である識別用タグが付加された状態で、ＤＶＤのデータエリア内の、予め設定されたエリアに記録される（拡張情報を記録するために予め設定されるエリアは、本発明が適用されないその他の多くの機種（拡張情報を使用しない機種）においても、空きとなる確率が高いエリアである内周側近傍のエリアとなっている）。しかし、拡張情報が記録されたエリアは、ボリウム／ファイル構造情報においては空きエリアとして示されるようになっている。
【００４１】
すなわち、拡張情報は、ボリウム／ファイル構造情報を参照する限りは見えない情報となっており、ボリウム／ファイル構造情報を参照することなく、予め設定されたエリアを読み取ることによって得られる情報となっている。このため、拡張情報が記録されたＤＶＤを、拡張情報を使用しない装置において再生するときには、拡張情報は無視されることになる。従って、拡張情報を使用しない装置においても、拡張情報が記録されたＤＶＤを支障なく再生することができる。つまり、拡張情報を使用しない装置との間において互換性が確保されることになる。
【００４２】
図３は、本発明に係る記録再生装置の一実施形態の電気的構成を示すブロック線図であり、具体的には、ＤＶＤレコーダを示している。なお、以下では、映像信号は音声信号を含んでいるものとして説明する。
【００４３】
チューナ部１は、マイクロコンピュータ７から指示されたチャンネルの商用放送を受信するとともに、受信して得られたアナログ映像信号をＡ／Ｄ変換部２に出力する。Ａ／Ｄ変換部２は、チューナ部１から出力されるアナログ映像信号をデジタル映像信号に変換し、信号処理部３に出力する。Ｄ／Ａ変換部４は、信号処理部３より出力されるデジタル映像信号をアナログ映像信号に変換し、外部に設けられたテレビ受像機６に出力する。
【００４４】
ディスクドライブ部５は、信号処理部３より出力されるデジタル信号（ＶＲフォーマットによる映像信号や拡張情報、等を含む）に対して符号化等の処理を行うことにより得られた信号を、ＤＶＤ（請求項記載の光ディスクであり、具体的には、ＤＶＤ−ＲＷやＤＶＤ＋ＲＷやＤＶＤ−ＲＡＭ等）１１に記録する。また、ＤＶＤ１１に記録されたデジタル信号（ＶＲフォーマットによる映像信号や拡張情報、等を含む）を読み出し、復調とエラー訂正等の処理を行った後、信号処理部３に出力する。
【００４５】
信号処理部３は、エンコード部１４を用いることによって、Ａ／Ｄ変換部２から出力された映像信号をＭＰＥＧ２に従って圧縮処理する。そして後、圧縮処理した映像信号をＶＲフォーマットに基づいて処理し、ディスクドライブ部５に出力する。また、デコード部１５を用いることにより、ディスクドライブ部５より出力される映像信号を、ＶＲフォーマットに基づいて処理した後、ＭＰＥＧ２に従って伸長処理する。そして、伸長処理により得られたデジタル映像信号をＤ／Ａ変換部４に出力する。
【００４６】
また、信号処理部３は、オンスクリーンディスプレイ部（以下では、ＯＳＤ部と称する）１６を用いることによって、マイクロコンピュータ７から指示された文字や記号等を示す信号を生成し、映像信号に重畳する。また、ディスクドライブ部５から出力される信号に拡張情報が含まれている場合には、拡張情報を取り出して拡張情報表示手段１８に出力する。
【００４７】
入力回路部８は、図示されない装置本体の前面パネルに設けられた電源キー等のキースイッチや、リモートコントローラ９から送信される赤外線信号を受光する受光ユニット等を備えており、ユーザからの指示が入力されると、入力された指示をマイクロコンピュータ７に出力する。
【００４８】
マイクロコンピュータ７は、ＤＶＤレコーダとしての主要動作を制御する。すなわち、リモートコントローラ９等に入力されたユーザの指示に従い、チューナ部１が受信するチャンネルを制御する。また、ディスクドライブ部５と信号処理部３とを制御することによって、チューナ部１が受信した番組を、ＶＲフォーマットによる映像信号としてＤＶＤ１１に記録する。また、ＤＶＤ１１に記録されたＶＲフォーマットによる映像信号を再生して、テレビ受像機６に表示する。
【００４９】
拡張情報記録手段１７（マイクロコンピュータ７の機能の一部でもって構成される）は、ユーザにより入力された文字列を示す情報である文字列情報と、文字列が対応付けられる対象を示す情報である対応付情報とからなる拡張情報を生成する。そして、信号処理部３とディスクドライブ部５とを制御することにより、生成した拡張情報を、ＤＶＤ１１のデータエリア内の予め設定されたエリアに記録する。また、拡張情報が記録されたエリアを、データエリアの使用状態を示す情報であるボリウム／ファイル構造情報においては空きエリアとなるようにするため、拡張情報をデータエリアの予め設定されたエリアに記録した後にも、ボリウム／ファイル構造情報については、拡張情報を記録する前と同じ内容に維持する。
【００５０】
拡張情報表示手段１８は、信号処理部３とディスクドライブ部５とを制御することによって、拡張情報の記録エリアとして予め設定されたエリアから拡張情報を読み出して内部に記憶する。そして、ユーザから表示の指示があったときには、拡張情報をテレビ受像機６に表示する。すなわち、拡張情報における文字列と、文字列に対応付けられた対象とを表示する。そして、表示された対象がカーソルにより指定された状態において再生が指示されたときには、カーソルにより指定された対象から再生を開始する。
【００５１】
図１は、拡張情報を生成して記録するときの実施形態の主要動作を示すフローチャート、図２は、拡張情報を読み出して表示するときの実施形態の主要動作を示すフローチャートである。必要に応じて同図を参照しつつ、実施形態の動作を説明する。
【００５２】
チューナ部１によって受信された番組をＤＶＤ１１に録画した後、録画した番組のオリジナルプログラムチェーンにおけるプログラムやプログラム内のセルについての内容を示す文字を入力するとき、または、録画した番組のユーザ定義プログラムチェーンにおけるプログラムチェーンやプログラムチェーン内のセルについての内容を示す文字を入力するとき、あるいは、録画済みのＤＶＤ本体の内容を示す文字を入力するときには、文字入力の画面を表示させるためのキー操作をリモートコントローラ９に入力する。このキー操作が入力されると、拡張情報記録手段１７は、文字列を入力するための画面（図示を省略）をテレビ受像機６に表示する（ステップＳ１）。
【００５３】
文字列を入力するための画面が表示された状態において、ユーザは、プログラム（またはプログラムチェーン）やセルの内容を示すための文字列を入力する（ステップＳ２）。そして後、入力した文字列を対応付けるプログラム（またはプログラムチェーン）、あるいは、入力した文字列を対応付けるセルを指示する（ステップＳ３）。なお、対応付ける対象を指示するための方法としては、サムネイル表示された画像をカーソルを用いて選択することでもって指示する方法、または、文字表示されたプログラム（またはプログラムチェーン）やセルから、文字列を対応付けるプログラム（またはプログラムチェーン）やセルを指示する方法、または、プログラム（またはプログラムチェーン）を示す数値やセルを示す数値、等を入力することでもって、文字列を対応付ける対象を指示する方法、等とすることができる。
【００５４】
文字列が入力されるとともに、文字列に対応付けられる対象（プログラムまたはプログラムチェーンまたはセル、あるいは、ＤＶＤ本体）が指示されたときには、拡張情報記録手段１７は、文字列情報と対応付情報とからなる拡張情報（図４、図５参照）を生成する（ステップＳ４）。そして後、入力を終了するかどうかをユーザに尋ねる（ステップＳ５）。次の対象のための文字列の入力が再び行われるときには、動作はステップＳ５からステップＳ１に移行し、上記と同様の動作が繰り返される。一方、文字列の入力の終了となる場合、拡張情報記録手段１７は、既に生成した拡張情報を１つのファイル形式のデータにまとめ、識別用タグを付加して、ＤＶＤ１１のデータエリア内の予め設定されたエリアに記録する（ステップＳ６）。
【００５５】
以上で、拡張情報の記録時の動作の説明を終了し、以下に、拡張情報の表示時の動作を説明する。
【００５６】
拡張情報表示手段１８は、ＤＶＤ１１が再生位置に載置されたときには、ディスクドライブ部５と信号処理部３とを制御することによって、拡張情報を記録するためのエリアとして予め設定されたエリア内の情報を読み出す（ステップＳ１１）。拡張情報が読み出されたときには、読み出された拡張情報を内部に記憶する（ステップＳ１２，Ｓ１３）。そして、ユーザから拡張情報の表示の指示が入力されると、記憶していた拡張情報をテレビ受像機６に表示する（ステップＳ１４〜Ｓ１６）。
【００５７】
図９は、テレビ受像機６に表示された拡張情報の一例を示している。すなわち、ＤＶＤ本体に対応付けられた文字列６１が画面の上部に表示される。そして、ユーザ定義プログラムチェーンに従ったタイトル（プログラムチェーン）とチャプタ（セル）とのそれぞれに対応付けられた文字列６０１〜６０４，・・・が表示される。この状態において、破線６８により示されるカーソルを所望のチャプタ（またはタイトル）に移動させた後（ステップＳ１７）、決定を示すキー操作を入力する（再生を指示する）と（ステップＳ１８）、マイクロコンピュータ７は、カーソル６８が位置するチャプタ（またはタイトル）から再生を開始する（ステップＳ１９）。
【００５８】
なお、拡張情報の記録用として予め設定されたエリアを読み出したときにも、拡張情報が読み出されなかった場合、拡張情報表示手段１８は、拡張情報の表示の指示が入力されたとき、拡張情報が記録されていないことを示すメッセージを表示する（ステップＳ１４，Ｓ１５，Ｓ２１）。
【００５９】
また、ユーザ定義プログラムチェーンに従ったタイトル（プログラムチェーン）とチャプタ（セル）とが表示された状態において、オリジナルプログラムチェーンに従ったタイトル（プログラム）とチャプタ（セル）との表示への切り換えの指示を入力すると、拡張情報表示手段１８は、オリジナルプログラムチェーンにおけるタイトル（プログラム）やチャプタ（セル）に対応付けられた文字列を表示する。また、このときでは、カーソル位置からの再生の指示を入力すると、カーソルが位置するチャプタ（またはタイトル）から、オリジナルプログラムチェーンに従った順序で、映像信号の再生が開始される。
【００６０】
なお、本発明は上記実施形態に限定されず、拡張情報の記録位置については、予め設定されたエリアとした場合について説明したが、その他の構成として、以下に示す構成とすることができる。
【００６１】
すなわち、拡張情報記録手段１７は、拡張情報を記録するときには、ボリウム／ファイル構造情報を参照して、空きとなっているエリアのうち、最も内周側に位置する空きエリアを調べる。そして、最も内周側に位置する空きエリアに拡張情報を記録する。そして、拡張情報を記録したときにも、ボリウム／ファイル構造情報においては、拡張情報が記録されたエリアを空きエリアとするため、拡張情報を記録した後のボリウム／ファイル構造情報を、拡張情報を記録する前のボリウム／ファイル構造情報と同じに維持する。
【００６２】
また、拡張情報表示手段１８は、ＤＶＤ１１から拡張情報の読み出しを行うときには、ボリウム／ファイル構造情報を参照することによって、最も内周側に位置する空きエリアを調べる。そして、最も内周側に位置する空きエリアから情報の読み出しを行い、読み出された拡張情報を内部に記憶する。なお、この読み出しにおいて、拡張情報が読み出されないときには、拡張情報は記録されていないと判定する。
【００６３】
拡張情報の記録位置を上記した方法で決定する場合、本発明が関与しない装置において映像信号が記録されたＤＶＤ１１に拡張情報を記録する場合であっても、拡張情報を記録するための空きエリアが必ず見つかるため、異なる装置との間において互換性が高まるという効果が得られる。
【図面の簡単な説明】
【００６４】
【図１】拡張情報を光ディスクに記録するときの本発明に係る記録再生装置の一実施形態の主要動作を示すフローチャートである。
【図２】拡張情報を表示するときの実施形態の主要動作を示すフローチャートである。
【図３】実施形態の電気的構成を示すブロック線図である。
【図４】拡張情報の構成を示す説明図である。
【図５】値が格納された拡張情報を示す説明図である。
【図６】ＤＶＤに記録された映像信号の分割の様子を示す説明図である。
【図７】識別用タグが付加された拡張情報を示す説明図である。
【図８】ＤＶＤのエリア分けを示す説明図である。
【図９】拡張情報の表示の様子を示す説明図である。
【符号の説明】
【００６５】
１１  ＤＶＤ（光ディスク）
１７  拡張情報記録手段
１８  拡張情報表示手段
１００  映像信号
Ｓ４  拡張情報を生成するステップ
Ｓ６  拡張情報をＤＶＤに記録するステップ
Ｓ１６  拡張情報を表示するステップ
Ｓ１９  カーソル位置から再生を開始するステップ
【図１】
2005332528.tif 000003
【図２】
2005332528.tif 000004
【図３】
2005332528.tif 000005
【図４】
2005332528.tif 000006
【図５】
2005332528.tif 000007
【図６】
2005332528.tif 000008
【図７】
2005332528.tif 000009
【図８】
2005332528.tif 000010
【図９】
2005332528.tif 000011